(57)【要約】      （修正有）【課題】安く早く簡単にしかもリサイクルができる着せ替式電照看板及びボードを提供する。【解決手段】電照看板光源カバー３外に薄い光透過性のある薄手のシート素材２を広告面として、覆い被せるように取り付ける事で、広告宣伝ができるように構成する。シートが風で揺れないようにするのと、本体と広告面シートの隙間から光漏れを防ぐ為に、ゴムバンドでテンションを掛け続けるようにする。シート素材のもう片方は取り付けを容易にする為に、結束バンド６や針金で固定できるようにする。光源カバー部分のアクリル板３を取り付ける台に１５ｍｍ程の広告素材取り付け段差５を設け、広告面であるシートの固定を容易にし、また同時に光漏れ防止の役割も持たせる。【選択図】図１
0003159976.tif 000002
【実用新案登録請求の範囲】
【請求項１】
看板本体内に光源を付けた内照式看板において電照看板の広告表示部分を着せ替え式シートタイプにし、シートに再はく離性や粘着性を持たせず、シートにテンションをかけて覆い被せる方式にした電照看板及びボード
【請求項２】
光源カバーに乳半アクリル板等や半透明にある光透過性をもつ無地の素材を使い、内部光源が直接見えようにし、視認性を高めた内照式手書き用ボードとした請求項１の電照看板及びボード
【考案の詳細な説明】
【技術分野】
【０００１】
本考案は、電照看板の広告面をタイムリーに変更する技術に関するものである。
【背景技術】
【０００２】
従来の電照看板の欠点は、広告面の変更に光源カバーであるアクリル板等を外して挟み込んだ広告物を交換するか、又は光源カバーのアクリル板に粘着された広告用フイルムをはがしたて交換するものであった。
その為に、はめ替えや張替えにコストと時間がかかり過ぎていた。
その結果広告宣伝活動が単純化、固定化して電照看板自体の十分な宣伝広告活用の妨げになっていた。
【０００３】
簡単に交換可能の再剥離フイルム素材等もあったが、フイルム素材自体が高価でやはり使用者側のコスト負担が大きかった。
さらに、フイルムの吸着面が汚れ易いという欠点と、折り曲げるとシワになり易いという欠点の理由で保管か難しいという問題があった。
【先行技術文献】
【非特許文献】
【０００４】
株式会社  ベルク  サイン・看板・掲示板・ＰＯＰ・パネル・スタンド総合カタログの３２２ページ参考
【考案の概要】
【考案が解決しようとする課題】
【０００５】
電照看板の広告描画部分の変更に時間とコストを掛けないようにし、広告描画部分及び本体自体にリサイクル性をもたせる。電照看板光源カバー部分を手書きボード用に使用する事ができる電照看板にする。
【課題を解決するための手段】
【０００６】
安く早く簡単にしかもリサイクルができる構造の電照看板とする。電照看板の広告描画部分を非粘着性のシートで覆い被せるような、着せ替えカバー方式にした。
【０００７】
広告印刷や描画部分である着せ替シートを安価な光透過性のあるシート素材にした。
【０００８】
広告印刷・描画部分のシートが風での揺れを少なくし安定させる事と、高原カバーと広告素材シートの隙間からの光漏れを少なくする為に、テンションを掛け続けられるよう工夫にした。
【０００９】
電照看板光源カバー部分に半透明の乳半アクリル板や半透明な光透過性のある板を使用した。
【００１０】
電照看板の光源カバーである乳半アクリル板等に広告印刷や描画素材の貼り付けをやめた。
【００１１】
電照看板光源カバーである乳半アクリル板等に広告印刷や描画素材の挟み込み方式をやめた。
【考案の効果】
【００１２】
タイムリーな広告宣伝活動ができる。
従来の電照看板は、光源カバーに広告印刷物や描画素材を挟み込むか、光源カバー部分に広告用粘着シートを貼り付ける2種類のタイプが主流であった為に、使用者自身で広告物の交換変更が困難であった。
本考案にすると、施工業者に依頼すること無く、使用者自身が簡単に結束バンドとテンション掛け用のゴム等をはめ替える事で、約5分程度で広告素材の変更や着替えができるようになる。
【００１３】
例えば、飲食店の場合、昼は、ランチタイム用広告として使い、夕方は、タイムサービス用に着替え変更して活用して、週末は、イベント用に変更と実にタイムリーで効果的な宣伝広告活動ができるようになる。
【００１４】
広告面に使用するメディア自体のコストを落とした。
電照専用フイルムを使用しないで、低コストの例えば、薄手ターポリンシートで広告面が製作できるようにシート着替え式にした為に低コストを実現した。
【００１５】
広告表示部分のリサイクル性を持たせた。
従来方式のはめ込み式や、粘着シートタイプは、一度取り外すと、キズや破れで再利用ができない場合がほとんどであった。
本考案だと、非粘着シート素材なので、粘着性が無く取り外した際にも傷をほとんど付けずに取り外しができる。
よって再利用が可能にした環境に優しい考案である。
【００１６】
電照看板本体自体のリサイクル性を高めた。
今までは、電照看板自体に広告宣伝を挟み込むか、シートを粘着していた為に、リサイクルしようにも広告印字部分の交換や粘着シートの貼り直しに業者に施工依頼しなければならず費用が掛かり過ぎる為に、多少古くなった電照看板自体のリサイクルを優先せず、廃棄して、新しい電照看板を製作するという選択をする事が多かった。
その為に、まだ使える電照看板の多くが、廃棄されていた現状がある。
本考案の着替え式電照看板だと、本体に直接広告表示部分を固定しない為に、安価な広告印刷面である着替えシートのみの変更で安く広告宣伝の変更が出来る為ようにした。
よって費用が安く抑えられる事が可能になり、廃棄より再利用する選択を選ぶ確立が向上して、電照看板本体のリサイクル性が飛躍的に高まる。
【００１７】
看板本体に直接広告宣伝ようの文字やイラスト等の描画ができる。
広告面シートを取り外した際は、光源カバーに何も描画されてない無地な状態なので使用者が、直接光源カバーにホワイトボード用マーカーで描画できるようになり、タイムリーで、個性的な宣伝や販売促進活動ができる。
【００１８】
例えば、飲食店でビール7時30分まで100円  煮魚250円等で集客ようの宣伝広告をして、ある程度お客が入りだしたら、すかさず、売りたい商材に広告用シートを変更する。
薩摩芋焼酎限定品入荷とか、鯨ベーコン入荷など儲かる商材広告宣伝にタイムリーに変更が可能である。
【００１９】
夜や暗い場所での視認性が向上した。
内照方式だから、夜や暗い場所でもホワイトボード用マーカーの文字がより鮮明に目立ち宣伝効果を容易に上げる。
【００２０】
内照明式だから管理が容易である。
ホワイトボードや掲示板等だと、夜間の視認性を高めるためには、照明器具が必要になる。その照明部分の防水や風対策・さび対策等にコストや時間がかかるが、
本考案だと内照式だから光源が露出していないので、ホワイトボード等の照明器具に必要な防水・風・さび対策が不要になる利点もある。
【００２１】
従来の再はく離シートタイプより保管が簡単である。
再はく離シートは、保管の際粘着面に汚れ等が付き易く保管が面倒であった。
本考案で使うが非粘着性シートだと、保管の際に粘着面の汚れ等を気にせず、丸めて簡単に保管ができる。
使い勝手が向上し、時間短縮や保管場所の管理がやり易くなる。
【実施例】
【００２２】
図１は全体構成図である。電照看板光源カバー外に薄い光透過性のある薄手のシート素材１を広告面として、覆い被せるように取り付ける事で、広告宣伝ができるようにしてある。
【００２３】
シートが風で揺れないようにするのと、本体と広告面シートの隙間から光漏れを防ぐ為に、ゴムバンド８でテンションを掛け続けるようにしてある。
【００２４】
シート素材のもう片方は取り付けを容易にする為に、結束バンドや針金６で固定できるようにしてある。
【００２５】
光源カバー部分のアクリル板を取り付ける台に１５ｍｍ程の広告素材取り付け段差５を設けている
それは、広告面であるシートの固定を容易にする為でありまた同時に光漏れ防止の役割も持たせている。
【００２６】
光源カバーに半透明の乳半アクリル等を使用しているが、広告物の貼り付け、挟み込み用には使用せず何も描画や印刷、貼り付けをしていない、無地な状態である為に、光源カバー部分に使用者側が直接ホワイトボード用マーカーで描画できるようにした。
【００２７】
図２に示すように固定用ブロック置き１０を設けて、ホームセンター等で簡単に入手できる6インチブロックを固定用おもりとして使用できるような巾に定めている。それとテンション用ゴムの固定用でもある。
【産業上の利用可能性】
【００２８】
今までの電照看板は、広告面の変更に経費と時間が掛かりすぎていた為に、一度広告宣伝用の広告物を取り付けると、ほとんど交換しなかった。
また、店名とか、営業時間等の表示が主でお客様から一番目に付く所に設置されているにも係わらず、看板・広告・宣伝・販倍促進活動の効果が十分発揮されてない、本考案のような、広告面をシートタイプにする事により、交換時間やコストが大幅に減らすことができる。
そうなると、使用者は、本考案の着せ替え式電照看板を大いに販売促進や集客用告知版にとさまざまなアイデアで活用するのは、確実である。
本体の光源カバー３を乳半アクリル等光源が直接見えないような、半透明素材を使用し無地な状態なので、タイムリーな販売促進用の文言等をホワイトボード用マーカーで光源カバー３に文字やイラストなど書く事ができる。
これは、今までに無い使い方である。
この考案は、使用者側の表現巾を広げて、又、さらに本考案の着替え式電照看板は販売促進・広告・告知看板として大いに役立つと確信する。
例えば、給油所に置いて、燃料の価格が日々刻々と価格変更が行われている現状がある。
コンピユターで変更可能な電飾看板での表示を行っている所では、設置費用が数１００万円台と高額な負担をしている。手書きボードや文字ははめ替え等構造物で対応している場所もあるが、夜間の視認性が悪いのが現状だとおもわれる。
本考案の光源表示部分をうまく活用すると、燃料名は、従来の粘着シートで対応して、価格のみにマーカー表示すれば、より簡単に価格変更に対応でき、内照式看板のために夜間の視認性は大幅に向上する。
早く広報宣伝し本考案の導入を早めて社会全体のコスト削減に貢献したいものである
【図面の簡単な説明】
【００２９】
【図１】図１は側面図及び正面図である
【符号の説明】
【００３０】
１  本体である
２  広告用半透明なシートである
３  光源カバー用アクリル板である
４  光源である
５  広告素材取り付け用段差である。
６  結束バンドである
７  テンション用ゴムである
８  固定用6インチブロックを固定するところである
９  光源カバーである
１０  固定用ブロック置きである。
【図１】
0003159976.tif 000003
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
看板本体に光源を付けた内照式看板において電照看板の広告表示部分を着せ替え式シートタイプにし、シートに再はく離性や粘着性を持たせず、シートにテンションを掛けて覆い被せる方式にした電照看板。
【請求項２】
光源カバーに乳半アクリル板、電照用フイルムや半透明になる光透過性を持つ無地の素材を使い、内照光源が直接見えないようにし、広告カバーを外した状態で手書き用ボードとしても使える請求項１の電照看板。